【手続補正書】
【提出日】平成26年9月12日(2014.9.12)
【手続補正１】
【補正対象書類名】明細書
【補正対象項目名】００４３
【補正方法】変更
【補正の内容】
【００４３】
本発明を、その例示的な実施形態を参照して、具体的に示し、説明してきたが、当業者であれば、添付の特許請求の範囲によって包含される本発明の範囲から逸脱することなく、その中で形態および詳細のさまざまな変更を行えることが理解されよう。
なお、本発明は、実施の態様として以下の内容を含む。
〔態様１〕
マイクロディスプレイ、ユーザ入力デバイス、第１のプロセッサおよび２つ以上の他の周辺回路を含むヘッドマウントディスプレイ（ＨＭＤ）システムを制御する方法であって、
第１の状態では、前記第１のプロセッサおよびユーザ入力デバイスのみを作動させる工程と、
ユーザ入力を検出する工程と、
前記プロセッサを使用して、口頭でのコマンドまたはジェスチャコマンドとして前記ユーザ入力を解釈する工程と、
第２の状態に入る工程であって、前記口頭でのコマンドまたはジェスチャコマンドに応じて、前記２つ以上の他の周辺機器のうちの選択された周辺機器は作動され、選択されていない周辺機器は作動されないようにする、工程と
を含む方法。
〔態様２〕
前記２つ以上の他の周辺機器は、第２のプロセッサを含む、態様１に記載の方法。
〔態様３〕
前記第２のプロセッサは、前記第１のプロセッサよりも多くの電力を消費する、態様２に記載の方法。
〔態様４〕
前記２つ以上の他の周辺機器は、ワイドエリアネットワークインターフェース、第２のプロセッサ、ディスプレイ、カメラおよび頭部運動追跡器からなる一群から選択される、態様１に記載の方法。
〔態様５〕
前記ユーザ入力は、文書にアクセスするための口頭でのコマンドであり、前記第２の状態では、前記第２のプロセッサおよびマイクロディスプレイに電力が印加され、次いで、前記文書が表示される、態様２に記載の方法。
〔態様６〕
前記ユーザ入力は、ウェブページにアクセスするための口頭でのコマンドであり、前記第２の状態は、さらに、ワイヤレスインターフェースをネットワークに接続して、前記ウェブページをフェッチすることを可能にする、態様５に記載の方法。
〔態様７〕
前記周辺機器は、カメラ、および前記第１の状態で作動された第２のプロセッサを含み、前記ユーザ入力は手のジェスチャであり、前記第２のプロセッサは、前記第２の状態に入る前に前記手のジェスチャを解釈する、態様２に記載の方法。
〔態様８〕
前記周辺機器は、ワイヤレスインターフェースを含み、前記第２の状態は、前記ワイヤレスインターフェースで前記ユーザコマンドをホストに送信する、態様２に記載の方法。
〔態様９〕
前記ユーザコマンドは、前記ディスプレイのアスペクトを操作するための要求であり、前記第２の状態は、前記ディスプレイ上の情報表示を変更する、態様７に記載の方法。
〔態様１０〕
視覚情報を表示するマイクロディスプレイと、
センサ入力を示す１つまたは複数の周辺機器入力信号、または、ユーザの動きおよび／もしくは音声入力の少なくとも１つを示す１つまたは複数の周辺機器入力信号を提供する、２つ以上の周辺デバイスと、
前記周辺機器入力信号を１つまたは複数の検出コマンドに変換する第１のプロセッサと、
前記１つまたは複数の検出コマンドに応じて、前記マイクロディスプレイおよび前記１つまたは複数の周辺機器を選択的に作動させるプロセッサコントローラと
を備えたヘッドセット携帯装置。
〔態様１１〕
前記１つまたは複数の周辺デバイスが、
前記ユーザから音声信号を受信する１つまたは複数のマイクロホンを備え、
前記第１のプロセッサは、さらに、
音声コマンドを検出するように音声信号を処理する音声認識装置を備える、態様１０に記載の装置。
〔態様１２〕
前記１つまたは複数の周辺デバイスは、動き検出器であり、前記動き検出器は、２つ以上の軸に沿ったユーザの動きを示す、２つ以上の動き入力を提供する、態様１０に記載の装置。
〔態様１３〕
前記動き検出器は、前記ユーザの手および／または身体のジェスチャ動作を検出するカメラである、態様１２に記載の装置。
〔態様１４〕
前記動き検出器は、前記ユーザの頭部動作を検出する頭部動作追跡デバイスである、態様１２に記載の装置。
〔態様１５〕
前記周辺機器は、当該ヘッドセット携帯装置と別のデータ処理デバイスとの間で、１つまたは複数のワイヤレスリンクを提供する通信インターフェースをさらに備える、態様１０に記載の装置。
〔態様１６〕
前記ユーザコマンドは、前記第１のプロセッサによって処理されて、前記マイクロディスプレイ上の視覚情報表示のアスペクトが制御される、態様１０に記載の装置。
〔態様１７〕
前記ユーザコマンドは、視野を制御する、態様１６に記載の装置。
〔態様１８〕
前記ユーザコマンドは、ズーム、パンまたはスケールファクタを制御する、態様１７に記載の装置。
〔態様１９〕
前記ユーザコマンドは、ウェブページ表示のハイパーリンクアイテムを選択する、態様１６に記載の装置。
【手続補正２】
【補正対象書類名】特許請求の範囲
【補正対象項目名】全文
【補正方法】変更
【補正の内容】
【特許請求の範囲】
【請求項１】
マイクロディスプレイ、ユーザ入力デバイス、第１のプロセッサおよび２つ以上の他の周辺回路を含むヘッドマウントディスプレイ（ＨＭＤ）システムを制御する方法であって、
前記第１のプロセッサおよびユーザ入力デバイスのみを作動させることにより、第１の状態に入る工程と、
ユーザ入力を検出する工程と、
前記第１のプロセッサを使用して、口頭でのコマンドまたはジェスチャコマンドとして前記ユーザ入力を解釈する工程と、
第２の状態に入る工程であって、前記口頭でのコマンドまたはジェスチャコマンドに基づいて、前記２つ以上の他の周辺機器のうちの選択された周辺機器を作動するコマンドを前記第１のプロセッサが発行することによって、かつ、選択されていない周辺機器を作動しないようにするコマンドを前記第１のプロセッサが発行することによって、前記第２の状態に入る工程と
を含み、
前記２つ以上の他の周辺機器は第２のプロセッサを含み、前記第２のプロセッサは、前記第１のプロセッサよりも多くの電力を消費する、方法。
【請求項２】
前記２つ以上の他の周辺機器は、ワイドエリアネットワークインターフェース、前記第２のプロセッサ、ディスプレイ、カメラおよび頭部運動追跡器からなる一群から選択される、請求項１に記載の方法。
【請求項３】
前記ユーザ入力は前記口頭でのコマンドであり、この口頭のコマンドは、文書にアクセスするためのものであり、前記第２の状態では、前記第２のプロセッサおよびマイクロディスプレイに電力が印加され、次いで、前記文書が表示される、請求項１に記載の方法。
【請求項４】
前記ユーザ入力は前記口頭でのコマンドであり、この口頭のコマンドは、ウェブページにアクセスするためのものであり、前記第２の状態は、さらに、ワイヤレスインターフェースをネットワークに接続して、前記ウェブページをフェッチすることを可能にする、請求項３に記載の方法。
【請求項５】
前記周辺機器はカメラを含み、前記第２のプロセッサは前記第１の状態でさらに作動され、前記ユーザ入力は手のジェスチャであり、前記第２のプロセッサは、前記第２の状態に入る前に前記手のジェスチャを解釈する、請求項１に記載の方法。
【請求項６】
前記周辺機器は、ワイヤレスインターフェースを含み、前記第２の状態は、前記ワイヤレスインターフェースで前記ユーザ入力をホストに送信する、請求項１に記載の方法。
【請求項７】
前記ユーザ入力は、前記ディスプレイのアスペクトを操作するための要求であり、前記第２の状態は、前記ディスプレイ上の情報表示を変更する、請求項５に記載の方法。
【請求項８】
視覚情報を表示するマイクロディスプレイと、
ユーザ入力を提供するユーザ入力デバイスと、
センサ入力を示す１つまたは複数の周辺機器入力信号、または、ユーザからのユーザの動きおよび／もしくはユーザからの音声入力の少なくとも１つを示す１つまたは複数の周辺機器入力信号を提供する、２つ以上の周辺デバイスであって、第１の状態において作動しないようにされる２つ以上の周辺デバイスと、
前記ユーザ入力を１つまたは複数の検出コマンドに変換する第１のプロセッサであって、前記第１の状態においては当該第１のプロセッサおよび前記ユーザ入力デバイスのみが作動されている、第１のプロセッサと、
前記１つまたは複数の検出コマンドに基づいて、前記マイクロディスプレイおよび前記１つまたは複数の周辺機器を、選択的に作動および非作動にさせるか、または選択的に作動させるかもしくは選択的に非作動にさせるプロセッサコントローラと
を備え、
前記２つ以上の周辺機器は第２のプロセッサを含み、前記第２のプロセッサは、前記第１のプロセッサよりも多くの電力を消費する、ヘッドセット携帯装置。
【請求項９】
前記１つまたは複数の周辺デバイスが、
前記ユーザから音声信号を受信する１つまたは複数のマイクロホンを備え、
前記第１のプロセッサは、さらに、
音声コマンドを検出するように音声信号を処理する音声認識装置を備える、請求項８に記載の装置。
【請求項１０】
前記１つまたは複数の周辺デバイスは、動き検出器であり、前記動き検出器は、前記ユーザの動きを示す２つ以上の動き入力を提供し、当該ユーザの動きは２つ以上の軸に沿っている、請求項８に記載の装置。
【請求項１１】
前記動き検出器は、前記ユーザの手および／または身体のジェスチャ動作を検出するカメラである、請求項１０に記載の装置。
【請求項１２】
前記動き検出器は、前記ユーザの頭部動作を検出する頭部動作追跡デバイスである、請求項１０に記載の装置。
【請求項１３】
前記周辺機器は、当該ヘッドセット携帯装置と別のデータ処理デバイスとの間で、１つまたは複数のワイヤレスリンクを提供する通信インターフェースをさらに備える、請求項８に記載の装置。
【請求項１４】
前記第１のプロセッサは、前記検出コマンドを処理して、前記マイクロディスプレイ上の視覚情報表示のアスペクトを制御する、請求項８に記載の装置。
【請求項１５】
前記検出コマンドは、視野を制御する、請求項１４に記載の装置。
【請求項１６】
前記検出コマンドは、ズーム、パンまたはスケールファクタを制御する、請求項１５に記載の装置。
【請求項１７】
前記検出コマンドは、ウェブページ表示のハイパーリンクアイテムを選択する、請求項１４に記載の装置。